(57)【要約】【課題】着座者に適切に振動を伝達可能な振動発生装置を提供する。【解決手段】シートのヘッドレストを背もたれ部に接続するヘッドレストステー６に取り付けられるアーム１１と、アーム１１に支持され、振動を発生させるエキサイター１２ａ，１２ｂとを備え、アーム１１は、ヘッドレストステー６の外周を囲む取付部１３を介し、ヘッドレストステー６の中心軸６ｃを中心に回動可能に取り付けられ、アーム１１は、ヘッドレストステー６の軸方向視において、エキサイター１２ａ，１２ｂの振動の軸線Ｖの延長線が中心軸６ｃに重ならない向きでエキサイター１２ａ，１２ｂを支持する。【選択図】図２
2020005781.tif 000002
【特許請求の範囲】
【請求項１】
シートのヘッドレストを背もたれ部に接続するヘッドレストステーに取り付けられるアームと、前記アームに支持され、振動を発生させる振動発生部材とを備え、
前記アームは、前記ヘッドレストステーの外周を囲む取付部を介し、前記ヘッドレストステーの中心軸を中心に回動可能に取り付けられ、
前記アームは、前記ヘッドレストステーの軸方向視において、前記振動発生部材の振動の軸線の延長線が前記中心軸に重ならない向きで前記振動発生部材を支持することを特徴とする振動発生装置。
【請求項２】
前記アームは、前記振動発生部材の振動によって弾性変形する弾性を有することを特徴とする請求項１記載の振動発生装置。
【請求項３】
前記アームは、中空であることを特徴とする請求項１または２記載の振動発生装置。
【請求項４】
前記アームの両端に前記振動発生部材がそれぞれ設けられることを特徴とする請求項１から３のいずれかに記載の振動発生装置。
【請求項５】
前記ヘッドレストステーは、一方のヘッドレストステーと、前記一方のヘッドレストステーに対し並べて配置される他方のヘッドレストステーとを備え、
前記取付部は、前記一方のヘッドレストステーに取り付けられる一側取付部と、前記他方のヘッドレストステーに取り付けられる他側取付部とを備えることを特徴とする請求項１から４のいずれかに記載の振動発生装置。
【請求項６】
前記一方のヘッドレストステーと前記他方のヘッドレストステーとの間を跨いで前記一側取付部と前記他側取付部とを連結する連結部を備えることを特徴とする請求項５記載の振動発生装置。
【請求項７】
前記取付部は、前記ヘッドレストステーの前記外周をＵ字状に囲むことを特徴とする請求項５または６記載の振動発生装置。
【請求項８】
前記一側取付部及び前記他側取付部は、前記取付部の前記Ｕ字状の部分の開放部を、前記一方のヘッドレストステーと前記他方のヘッドレストステーとの間の内側から外側に嵌め込むようにして前記ヘッドレストステーに取り付けられることを特徴とする請求項７記載の振動発生装置。
【請求項９】
前記アームは、外力を加えることによりその形状を自由に変更可能であり、且つ、変更後の形状に保持され得るフレキシブルアームであり、
前記取付部は、前記フレキシブルアームを曲げて形成されていることを特徴とする請求項１から８のいずれかに記載の振動発生装置。
【請求項１０】
シートのヘッドレストを背もたれ部に接続するヘッドレストステーに取り付けられるアームと、前記アームに支持され、振動を発生させる振動発生部材とを備え、
前記アームは、外力を加えることによりその形状を自由に変更可能であり、且つ、変更後の形状に保持され得るフレキシブルアームであり、
前記フレキシブルアームは、前記ヘッドレストステーの外周を囲む取付部を形成するように形状を変更可能であり、前記取付部を介し、前記ヘッドレストステーの中心軸を中心に回動可能に取り付け可能であり、
前記フレキシブルアームは、前記ヘッドレストステーの軸方向視において、前記振動発生部材の振動の軸線の延長線が前記中心軸に重ならない向きで前記振動発生部材を支持することを特徴とする振動発生装置。
【発明の詳細な説明】
【技術分野】
【０００１】
本発明は、振動発生装置に関する。
【背景技術】
【０００２】
背景技術として、特開平９−３０３０４号公報（以下、特許文献１と呼ぶ。）がある。特許文献１では、「自動車の座席のヘッドレストシャフトに疲労回復装置を取り付けるための取り付け手段と、マッサージまたは温灸の少なくともいずれか一方を施すための治癒手段と、座席の背もたれの傾斜角度を検出する傾斜角度検出手段と、警報音を発する警報手段と、傾斜角度検出手段の検出結果に基づいて治癒手段および警報手段を制御する制御手段とを備える。制御手段は、座席の背もたれの傾斜角度が一定値以上の場合に治癒手段および警報手段を動作可能にし、治癒手段を一定時間動作させた後に停止させ、その停止からさらに一定時間経過後に警報手段を動作させる。」と記載されている。
【先行技術文献】
【特許文献】
【０００３】
【特許文献１】特開平９−３０３０４号公報
【発明の概要】
【発明が解決しようとする課題】
【０００４】
ところで、上記従来の振動発生装置（疲労回復装置）は、ねじの締結力によってヘッドレストステー（ヘッドレストシャフト）に強固に取り付けられる。このため、振動発生装置が発生させる振動が、ヘッドレストステー及びシートの着座面等を介し、余計な振動として着座者に伝わってしまうことがある。
本発明は、上述した事情に鑑みてなされたものであり、着座者に適切に振動を伝達可能な振動発生装置を提供することを目的とする。
【課題を解決するための手段】
【０００５】
本発明は、シートのヘッドレストを背もたれ部に接続するヘッドレストステーに取り付けられるアームと、前記アームに支持され、振動を発生させる振動発生部材とを備え、前記アームは、前記ヘッドレストステーの外周を囲む取付部を介し、前記ヘッドレストステーの中心軸を中心に回動可能に取り付けられ、前記アームは、前記ヘッドレストステーの軸方向視において、前記振動発生部材の振動の軸線の延長線が前記中心軸に重ならない向きで前記振動発生部材を支持することを特徴とする振動発生装置を提供する。
【発明の効果】
【０００６】
本発明に係る振動発生装置では、振動発生部材からアームを介してヘッドレストステーに伝達される振動は、ヘッドレストステーの中心軸を中心とするアームの回動によって逃がされる。このため、振動発生部材からシートに伝達される余計な振動を低減でき、振動発生部材によってシートの着座者に適切に振動を伝達できる。
【図面の簡単な説明】
【０００７】
【図１】本発明を適用した第１の実施の形態に係る振動発生装置が取り付けられたシートの斜視図である。
【図２】図１のＩＩ−ＩＩ断面図である。
【図３】一方のエキサイター及びアームの端部の構造を示す模式的な断面図である。
【図４】第２の実施の形態のアームの取付状態を示す模式図である。
【図５】第３の実施の形態のアームの取付状態を示す模式図である。
【発明を実施するための形態】
【０００８】
以下、図面を参照して本発明の実施の形態について説明する。
［第１の実施の形態］
図１は、本発明を適用した第１の実施の形態に係る振動発生装置１０が取り付けられたシート１を前方側から見た斜視図である。
シート１は、着座者が臀部を介し着座する座面部（不図示）と、この座面部の後端部から上方に延びる背もたれ部としてのシートバック３と、シートバック３の上端に取り付けられるヘッドレスト４とを備える。
シート１は、車室内に配置される乗員（着座者）用のシートである。上記車室としては、例えば、自動車、電車、飛行機及び船舶等の車室が挙げられる。また、シート１は、車両に設けられるものに限定されず、例えば、オフィスチェアやソファーなどのオフィスや住宅で使用される家具であっても良い。
【０００９】
シートバック３は、ウレタン等のクッション材で構成されるクッションをシート表皮で覆って構成される。シートバック３の内部には、シートバック３のクッションを支持する骨格としてのシートフレーム（不図示）が設けられる。
シートバック３の前面は、着座者の背中を受けるシートバック着座面３ａである。
シートバック３の上面には、ヘッドレスト４が取り付けられるヘッドレスト取付穴部３ｂが一対設けられる。
【００１０】
ヘッドレスト４は、クッション材をシート表皮で覆って構成されるヘッドレスト本体５と、ヘッドレスト本体５から下方に延びるヘッドレストステー６とを備える。ヘッドレスト本体５の前面は、着座者の頭部を受けるヘッドレスト着座面５ａである。
ヘッドレストステー６は、一方のヘッドレストステー６ａと、一方のヘッドレストステー６ａに対しシート１の幅方向（左右方向）に並べて配置される他方のヘッドレストステー６ｂとを備え、左右一対で設けられる。
一方のヘッドレストステー６ａ及び他方のヘッドレストステー６ｂは、断面が略円形の棒材であり、例えば、鉄系材料等の金属で構成される。
【００１１】
ヘッドレスト４は、一方のヘッドレストステー６ａ及び他方のヘッドレストステー６ｂが、ヘッドレスト取付穴部３ｂに上方から差し込まれることでシートバック３に取り付けられる。
ヘッドレスト４は、ヘッドレスト取付穴部３ｂへのヘッドレストステー６の挿入深さを調節することで、着座者の体格等による頭部の位置に合わせて取り付けの高さ位置を変更可能である。シートバック３の上面においてヘッドレスト取付穴部３ｂの外側方には、ヘッドレストステー６を任意の高さ位置に固定するための操作ボタン３ｃ（操作子）が、ヘッドレスト取付穴部３ｂに隣接して設けられる。
ヘッドレスト４とシートバック３との間には、一方のヘッドレストステー６ａと他方のヘッドレストステー６ｂとによって左右に区画される空間Ｋが形成される。
【００１２】
図２は、図１のＩＩ−ＩＩ断面図である。図２ではシートバック３は不図示である。
図１及び図２を参照し、振動発生装置１０は、ヘッドレストステー６に取り付けられるアーム１１と、アーム１１に支持され、振動を発生させる一対のエキサイター１２ａ，１２ｂ（振動発生部材）と、アーム１１を覆うカバー２０とを備える。
振動発生装置１０は、着座者に当てられるエキサイター１２ａ，１２ｂの振動によって着座者にマッサージする装置である。振動発生装置１０は、ヘッドレスト本体５とシートバック３との間でヘッドレストステー６に取り付けられる。
【００１３】
アーム１１は、ヘッドレストステー６の外周を囲むようにしてヘッドレストステー６に取り付けられる取付部１３を備える。
取付部１３は、一方のヘッドレストステー６ａに取り付けられる一側取付部１３ａと、他方のヘッドレストステー６ｂに取り付けられる他側取付部１３ｂとを備える。
また、アーム１１は、一方のヘッドレストステー６ａと他方のヘッドレストステー６ｂとの間を跨いで一側取付部１３ａと他側取付部１３ｂとを左右に連結する連結部１４と、一側取付部１３ａから前方に延出して一方のエキサイター１２ａを支持する支持アーム部１５ａと、他側取付部１３ｂから前方に延出して他方のエキサイター１２ｂを支持する支持アーム部１５ｂとを備える。
【００１４】
アーム１１は、１本のフレキシブルなチューブによって構成されるフレキシブルアームである。
ここで、フレキシブルアームは、外力を加えることによりその形状を自由に変更可能であり、且つ、変更後の形状に保持され得るものである。アーム１１（フレキシブルアーム）は、全長に亘って中空に形成されるチューブ状である。フレキシブルアームは、例えばステンレス等の金属製である。
一側取付部１３ａ、他側取付部１３ｂ、連結部１４、及び、支持アーム部１５ａ，１５ｂは、１本のフレキシブルアーム上に設けられ、フレキシブルアームを曲げることにより形成される。
【００１５】
一側取付部１３ａは、一方のヘッドレストステー６ａの外周をＵ字状に囲むように形成される。
詳細には、一側取付部１３ａは、一方のヘッドレストステー６ａの左右の内側面に当接する屈曲部１６ａと、屈曲部１６ａの前端から一方のヘッドレストステー６ａの前面側を通って左右の外側に延びる前部１６ｂと、屈曲部１６ａの後端から一方のヘッドレストステー６ａの後面側を通って左右の外側に延びる後部１６ｃとを備える。屈曲部１６ａは、一側取付部１３ａのＵ字の底部を構成するように円弧状に湾曲する。
一側取付部１３ａは、Ｕ字状の部分の開放部１６ｄを、ヘッドレストステー６の空間Ｋの内側から一方のヘッドレストステー６ａに嵌め込むようにして取り付けられる。
【００１６】
他側取付部１３ｂは、他方のヘッドレストステー６ｂの外周をＵ字状に囲むように形成される。
詳細には、他側取付部１３ｂは、他方のヘッドレストステー６ｂの左右の内側面に当接する屈曲部１７ａと、屈曲部１７ａの前端から他方のヘッドレストステー６ｂの前面側を通って左右の外側に延びる前部１７ｂと、屈曲部１７ａの後端から他方のヘッドレストステー６ｂの後面側を通って左右の外側に延びる後部１７ｃとを備える。屈曲部１７ａは、他側取付部１３ｂのＵ字の底部を構成するように円弧状に湾曲する。
他側取付部１３ｂは、Ｕ字状の部分の開放部１７ｄを、ヘッドレストステー６の空間Ｋの内側から他方のヘッドレストステー６ｂに嵌め込むようにして取り付けられる。
【００１７】
アーム１１の連結部１４は、ヘッドレストステー６の後方を左右に延びて一側取付部１３ａと他側取付部１３ｂとを連結する。
詳細には、連結部１４は、一側取付部１３ａの後部１６ｃの外端から後方且つ左右の内側にＵ字状に折り返す折り返し部１４ａと、他側取付部１３ｂの後部１７ｃの外端から後方且つ左右の内側にＵ字状に折り返す折り返し部１４ｂと、一方のヘッドレストステー６ａ及び他方のヘッドレストステー６ｂの後方を通って折り返し部１４ａ及び折り返し部１４ｂを繋ぐ左右延在部１４ｃとを備える。
【００１８】
支持アーム部１５ａは、一側取付部１３ａの前部１６ｂから前方且つ左右方向の外側に引き出される。
支持アーム部１５ｂは、他側取付部１３ｂの前部１７ｂから前方且つ左右方向の外側に引き出される。
【００１９】
一方のエキサイター１２ａは、支持アーム部１５ａの前端に接続される。他方のエキサイター１２ｂは、支持アーム部１５ｂの前端に接続される。
すなわち、エキサイター１２ａ，１２ｂは、１本のフレキシブルアームであるアーム１１の両端にそれぞれ設けられる。
【００２０】
カバー２０は、アーム１１に沿うチューブ状であり、アーム１１はカバー２０のチューブ内を通る。カバー２０は、アーム１１の外周面の全周を覆う。カバー２０は、アーム１１の略全長に亘って設けられ、アーム１１における一方のエキサイター１２ａと他方のエキサイター１２ｂとの間の区間を覆う。
カバー２０は、アーム１１よりもクッション性が高い素材で構成され、例えば、ウレタンによって構成される。
アーム１１は、一側取付部１３ａ及び他側取付部１３ｂでは、カバー２０を介してヘッドレストステー６の外周に当接する。
【００２１】
図３は、一方のエキサイター１２ａ及びアーム１１の端部の構造を示す模式的な断面図である。図３ではカバー２０は不図示である。他方のエキサイター１２ｂは一方のエキサイター１２ａと同様の構造であるため、詳細な説明を省略する。
一方のエキサイター１２ａは、有底円筒状の外側ヨーク２１と、外側ヨーク２１の開口を塞ぐように設けられる円板状のフレーム部２２と、外側ヨーク２１とフレーム部２２とを弾性的に接続するダンパー部２３と、外側ヨーク２１内の底部に設けられる磁石２４と、磁石２４上に固定される内側ヨーク２５と、フレーム部２２に固定される円筒状のボビン２６と、ボビン２６の外周に設けられるボイスコイル２７とを備える。
ボビン２６は、内側ヨーク２５の外周と外側ヨーク２１の内周との間に配置され、ボイスコイル２７は、ボビン２６の外周に巻き付けられる。
【００２２】
一方のエキサイター１２ａ及び他方のエキサイター１２ｂの前面部には、球状のパッド２８が設けられる。エキサイター１２ａ，１２ｂは、パッド２８を介して着座者に接触し、パッド２８を介して着座者に振動を伝達することでマッサージを行う。パッド２８は、着座者にソフトに接するように、ゴム等の弾性の高い素材で構成される。
【００２３】
一方のエキサイター１２ａ及び他方のエキサイター１２ｂには、信号発生装置（不図示）が接続される。この信号発生装置からエキサイター１２ａ，１２ｂに音響信号が入力されると、フレーム部２２に固定されたボビン２６、外側ヨーク２１、磁石２４、及び内側ヨーク２５等の磁気回路部が、音響信号の周波数に合わせて振動する。詳細には、ボイスコイル２７に音響信号の電流が流れることで、ボビン２６の軸方向を向くローレンツ力が発生し、エキサイター１２が振動する。
エキサイター１２は、エキサイター１２の振動の軸線Ｖの軸方向に振動する。振動の軸線Ｖの軸方向は、ボビン２６の軸方向である。
上記音響信号を伝達する配線２９（図１）は、エキサイター１２ａ，１２ｂからアーム１１の外周とカバー２０の内周との間を通って連結部１４側に延び、カバー２０の外側に引き出されて上記信号発生装置に接続される。このため、配線２９を隠して外観性を向上できるとともに、配線２９をカバー２０とアーム１１との間に効果的に支持できる。
【００２４】
図３に示すように、中空のアーム１１の長手方向の一端及び他端はそれぞれ開口部１５ｃとなっている。
エキサイター１２ａ，１２ｂは、エキサイター１２ａ，１２ｂの後面部１２ｃによって開口部１５ｃを塞ぐように開口部１５ｃの周縁部に固定される。後面部１２ｃはアーム１１の内部空間１１ａ内に露出する。
エキサイター１２ａ，１２ｂの駆動に伴うエキサイター１２ａ，１２ｂの熱Ｈは、後面部１２ｃからアーム１１の内部空間１１ａに放熱され、アーム１１を介して外側に放熱される。このため、エキサイター１２ａ，１２ｂの熱を効率良く放熱できる。アーム１１には、例えば、内部空間１１ａを外側に連通させる通気口を連結部１４等に設けても良い。
また、エキサイター１２ａ，１２ｂの振動によって、内部空間１１ａの空気をアーム１１の長手方向（軸方向）に押し出すようにして流通させることができるため、効率良く放熱できる。
【００２５】
図１及び図２を参照し、アーム１１はフレキシブルであり、ユーザー（着座者）や作業者等が容易に形状を変更できる。これにより、ユーザー等は、一方のヘッドレストステー６ａと他方のヘッドレストステー６ｂとの間の間隔や、一方のヘッドレストステー６ａ及び他方のヘッドレストステー６ｂの直径等に合わせて、アーム１１の一側取付部１３ａ及び他側取付部１３ｂ形状を調整できる。このため、振動発生装置１０は、種々の形状のヘッドレストに取り付けられることができ、汎用性が高い。
【００２６】
また、ユーザーは、フレキシブルな支持アーム部１５ａ，１５ｂの形状を変形させて、エキサイター１２ａ，１２ｂをユーザーの好む位置に当ててマッサージできる。このため、ユーザーにマッサージを効果的に行うことができる。ユーザーは、例えば、首Ｎや肩にエキサイター１２ａ，１２ｂのパッド２８を当ててマッサージを行う。
支持アーム部１５ａ，１５ｂの基端部は、一側取付部１３ａ及び他側取付部１３ｂから左右の外側に引き出されて前方に延びる。このため、首Ｎに対して左右の外側からエキサイター１２ａ，１２ｂを当接させ易く、エキサイター１２ａ，１２ｂを高い自由度で首Ｎや肩に当てることができる。
【００２７】
振動発生装置１０の一側取付部１３ａ及び他側取付部１３ｂは、Ｕ字状であり開放部１６ｄ，１７ｄを備えるため、ヘッドレストステー６に嵌め込まれる際の取り付け方向の自由度が高い。このため、振動発生装置１０を容易にヘッドレスト４に取り付けできる。
他側取付部１３ｂはＵ字状であり、開放部１７ｄは、操作ボタン３ｃの上方に位置する。このため、ユーザーは、開放部１７ｄから操作ボタン３ｃにアクセスでき、ヘッドレストステー６に振動発生装置１０を取り付けた状態であっても、操作ボタン３ｃを操作してヘッドレストステー６の高さを調節できる。
一側取付部１３ａは、Ｕ字状であり、一方のヘッドレストステー６ａの軸方向視において一側取付部１３ａを構成する部分同士が重ならない。このため、一側取付部１３ａを一方のヘッドレストステー６ａの高さ方向にコンパクトに設けることができる。他側取付部１３ｂについても同様である。
【００２８】
図２に示すように、ヘッドレストステー６の軸方向視では、一方のエキサイター１２ａの振動の軸線Ｖを真っ直ぐ延ばした延長線は、一方のヘッドレストステー６ａの中心軸６ｃに対し左右方向の外側に位置し、一方のヘッドレストステー６ａの中心軸６ｃに重ならない。
このため、振動発生装置１０は、エキサイター１２ａが振動すると、一側取付部１３ａ及び支持アーム部１５ａが、軸線Ｖの方向に生じる力によって、一方のヘッドレストステー６ａの中心軸６ｃを中心に矢印Ｒの方向に回動する。
【００２９】
同様に、ヘッドレストステー６の軸方向視では、他方のエキサイター１２ｂの振動の軸線Ｖを真っ直ぐ延ばした延長線は、他方のヘッドレストステー６ｂの中心軸６ｃに対し左右方向の外側に位置し、他方のヘッドレストステー６ｂの中心軸６ｃに重ならない。
このため、振動発生装置１０は、エキサイター１２ｂが振動すると、他側取付部１３ｂ及び支持アーム部１５ｂが、軸線Ｖの方向に生じる力によって、他方のヘッドレストステー６ｂの中心軸６ｃを中心に矢印Ｒの方向に回動する。
【００３０】
すなわち、振動発生装置１０では、エキサイター１２ａ，１２ｂの振動は、ヘッドレストステー６ｂの中心軸６ｃを中心とするアーム１１の回動によって逃がされる。これにより、アーム１１を介してヘッドレストステー６に伝達されるエキサイター１２ａ，１２ｂの振動を低減できる。その結果、ヘッドレストステー６からヘッドレスト本体５及びシートバック３に伝達される振動を低減でき、エキサイター１２ａ，１２ｂの振動によるシート１の振動を低減でき、余計な振動が着座者に伝わることを低減できる。
マッサージのための振動は、エキサイター１２ａ，１２ｂから着座者に直接的に伝達される。
【００３１】
アーム１１の一側取付部１３ａと他側取付部１３ｂとは、連結部１４によって互いに連結されている。これにより、一側取付部１３ａ及び他側取付部１３ｂは、連結部１４を介して互いに回動を制限するため、一側取付部１３ａと他側取付部１３ｂが過度に回動することを防止でき、アーム１１の適切な姿勢を維持できる。
アーム１１の弾性は、エキサイター１２ａ，１２ｂの振動によってアーム１１が塑性変形せず、弾性変形する大きさである。このため、アーム１１の弾性変形によってエキサイター１２ａ，１２ｂからヘッドレストステー６に伝わる振動を減衰でき、着座者に伝わる余計な振動を低減できる。また、連結部１４によって一側取付部１３ａと他側取付部１３ｂとが連結されている構成であっても、アーム１１は弾性変形によって適度に矢印Ｒの方向に回動できる。
【００３２】
振動発生装置１０は、マッサージの用途以外に、骨伝導スピーカー、及び、音響スピーカーとしても用いることができる。
振動発生装置１０を骨伝導スピーカーとして用いる場合、例えば、着座者の耳下の部分にエキサイター１２ａ，１２ｂを当接させることで、骨伝導によって着座者に音声を伝達できる。骨伝導スピーカーを使用しない状態では、アーム１１を着座者から離れた位置に折り曲げておくことで、着座者は居住スペースを広く活用できる。着座者は、骨伝導スピーカーによって音声を聞きたい場合には、自分の方にアーム１１を折り曲げてエキサイター１２ａ，１２ｂを耳下等に当てることで、周囲が騒がしい状況であっても、良好に音声を聞くことができる。
【００３３】
振動発生装置１０を音響スピーカーとしてとして用いる場合、図３に示すように、エキサイター１２ａ，１２ｂの振動によって再生される音声Ｓ１は、主としてエキサイター１２ａ，１２ｂの前面部１２ｄから着座者に向けて出力される。
エキサイター１２ａ，１２ｂの振動によって後面部１２ｃから出力される音声Ｓ２は、アーム１１の内部空間１１ａ内に出力される。これにより、音声Ｓ１に対する音声Ｓ２の干渉を低減でき、音響スピーカーとしての音質を向上できる。また、アーム１１を介しヘッドレストステー６に容易に振動発生装置１０を取り付けできるため、様々な形態のシートに音響スピーカーを手軽に設けることができる。
【００３４】
以上説明したように、本発明を適用した第１の実施の形態によれば、振動発生装置１０は、シート１のヘッドレスト４をシートバック３に接続するヘッドレストステー６に取り付けられるアーム１１と、アーム１１に支持され、振動を発生させるエキサイター１２ａ，１２ｂとを備え、アーム１１は、ヘッドレストステー６の外周を囲む取付部１３を介し、ヘッドレストステー６の中心軸６ｃを中心に回動可能に取り付けられ、アーム１１は、ヘッドレストステー６の軸方向視において、エキサイター１２ａ，１２ｂの振動の軸線Ｖの延長線が中心軸６ｃに重ならない向きでエキサイター１２ａ，１２ｂを支持する。
この構成によれば、エキサイター１２ａ，１２ｂからアーム１１を介してヘッドレストステー６に伝達される振動は、ヘッドレストステー６の中心軸６ｃを中心とするアーム１１の回動によって逃がされる。このため、エキサイター１２ａ，１２ｂからシート１に伝達される余計な振動を低減でき、エキサイター１２ａ，１２ｂによってシート１の着座者に適切に振動を伝達できる。
【００３５】
また、アーム１１は、エキサイター１２ａ，１２ｂの振動によって弾性変形する弾性を有する。この構成によれば、アーム１１の弾性変形によって、エキサイター１２ａ，１２ｂからヘッドレストステー６に伝達される振動を低減でき、エキサイター１２ａ，１２ｂからシート１に伝達される余計な振動を低減できる。また、アーム１１の変形は弾性変形であり、アーム１１はそれほど大きく変形しないため、エキサイター１２ａ，１２ｂによってシート１の着座者に適切に振動を伝達できる。
また、アーム１１は、中空である。この構成によれば、エキサイター１２ａ，１２ｂの熱を、アーム１１の中空の部分である内部空間１１ａを介して効率良く放熱できる。
【００３６】
さらに、アーム１１の両端にエキサイター１２ａ，１２ｂがそれぞれ設けられる。この構成によれば、アーム１１の両端のエキサイター１２ａ，１２ｂによって、簡単な構造で着座者に効果的に振動を伝達できる。
また、ヘッドレストステー６は、一方のヘッドレストステー６ａと、一方のヘッドレストステー６ａに対し並べて配置される他方のヘッドレストステー６ｂとを備え、取付部１３は、一方のヘッドレストステー６ａに取り付けられる一側取付部１３ａと、他方のヘッドレストステー６ｂに取り付けられる他側取付部１３ｂとを備える。
この構成によれば、一方のヘッドレストステー６ａに取り付けられる一側取付部１３ａ、及び、他方のヘッドレストステー６ｂに取り付けられる他側取付部１３ｂによって、アーム１１を安定してヘッドレストステー６に取り付けできる。
【００３７】
また、振動発生装置１０は、一方のヘッドレストステー６ａと他方のヘッドレストステー６ｂとの間を跨いで一側取付部１３ａと他側取付部１３ｂとを連結する連結部１４を備える。この構成によれば、一側取付部１３ａ及び他側取付部１３ｂの自由な回転を連結部１４によって制限でき、簡単な構造でアーム１１を適切な姿勢に保持できる。
また、取付部１３は、ヘッドレストステー６の外周をＵ字状に囲む。この構成によれば、取付部１３のＵ字状の開放部１６ｄ，１７ｄを介し、取付部１３をヘッドレストステー６に容易に取り付けできるとともに、ヘッドレストステー６の外周側に空間を確保できる。
【００３８】
また、一側取付部１３ａ及び他側取付部１３ｂは、取付部１３のＵ字状の部分の開放部１６ｄ，１７ｄを、一方のヘッドレストステー６ａと他方のヘッドレストステー６ｂとの間の内側から外側に嵌め込むようにしてヘッドレストステー６に取り付けられる。
この構成によれば、取付部１３のＵ字状の部分の開放部１６ｄ，１７ｄを、一方のヘッドレストステー６ａと他方のヘッドレストステー６ｂとの間の内側から外側に嵌め込むようにして、取付部１３を容易に取り付けできる。また、アーム１１を一方のヘッドレストステー６ａ及び他方のヘッドレストステー６ｂの外側に引き出し易く、アーム１１の姿勢の自由度が高い。
【００３９】
また、アーム１１は、外力を加えることによりその形状を自由に変更可能であり、且つ、変更後の形状に保持され得るフレキシブルアームであり、取付部１３は、フレキシブルアームを曲げて形成されている。
この構成によれば、取付部１３をフレキシブルアームによって容易に形成できるとともに、アーム１１の姿勢を容易に調整でき、エキサイター１２ａ，１２ｂの振動を適切に着座者に伝達できる。
また、振動発生装置１０は、シート１のヘッドレスト４をシートバック３に接続するヘッドレストステー６に取り付けられるアーム１１と、アーム１１に支持され、振動を発生させるエキサイター１２ａ，１２ｂとを備え、アーム１１は、外力を加えることによりその形状を自由に変更可能であり、且つ、変更後の形状に保持され得るフレキシブルアームであり、フレキシブルアームは、ヘッドレストステー６の外周を囲む取付部１３を形成するように形状を変更可能であり、取付部１３を介し、ヘッドレストステー６の中心軸６ｃを中心に回動可能に取り付け可能であり、アーム１１（フレキシブルアーム）は、ヘッドレストステー６の軸方向視において、エキサイター１２ａ，１２ｂの振動の軸線Ｖの延長線が中心軸６ｃに重ならない向きで振動発生部材を支持する。
この構成によれば、エキサイター１２ａ，１２ｂからアーム１１を介してヘッドレストステー６に伝達される振動は、ヘッドレストステー６の中心軸６ｃを中心とするアーム１１の回動によって逃がされる。このため、エキサイター１２ａ，１２ｂからシート１に伝達される余計な振動を低減でき、エキサイター１２ａ，１２ｂによってシート１の着座者に適切に振動を伝達できる。また、アーム１１をヘッドレストステー６に取り付ける取付部１３をフレキシブルアームによって容易に形成できるとともに、フレキシブルアームの姿勢を容易に調整でき、エキサイター１２ａ，１２ｂの振動を適切に着座者に伝達できる。
【００４０】
［第２の実施の形態］
以下、図４を参照して、本発明を適用した第２の実施の形態について説明する。この第２の実施の形態において、上記第１の実施の形態と同様に構成される部分については、同符号を付して説明を省略する。
本第２の実施の形態は、取付部２１３の形状が上記第１の実施の形態の取付部１３と異なる。
【００４１】
図４は、第２の実施の形態のアーム２１１の取付状態を示す模式図である。図４では、アーム２１１を覆うカバー２０の図示は省略されている。
アーム２１１は、中空のフレキシブルアームであり、両端にエキサイター１２ａ，１２ｂ（図２参照）が設けられる。
アーム２１１は、ヘッドレストステー６の外周を囲むようにしてヘッドレストステー６に取り付けられる取付部２１３を備える。
【００４２】
取付部２１３は、一方のヘッドレストステー６ａに取り付けられる一側取付部２１３ａと、他方のヘッドレストステー６ｂに取り付けられる他側取付部２１３ｂとを備える。
また、アーム２１１は、一方のヘッドレストステー６ａと他方のヘッドレストステー６ｂとの間を跨いで一側取付部２１３ａと他側取付部２１３ｂとを左右に連結する連結部２１４と、一側取付部２１３ａから前方に延出して一方のエキサイター１２ａを支持する支持アーム部２１５ａと、他側取付部２１３ｂから前方に延出して他方のエキサイター１２ｂを支持する支持アーム部２１５ｂとを備える。
【００４３】
一側取付部２１３ａは、一方のヘッドレストステー６ａの外周を１周するように一方のヘッドレストステー６ａに巻き付けられる。
他側取付部２１３ｂは、他方のヘッドレストステー６ｂの外周を１周するように他方のヘッドレストステー６ｂに巻き付けられる。
アーム２１１は、一側取付部２１３ａ及び他側取付部２１３ｂを介し、一方のヘッドレストステー６ａ及び他方のヘッドレストステー６ｂの中心軸６ｃを中心に回動可能に取り付けられる。
【００４４】
［第３の実施の形態］
以下、図５を参照して、本発明を適用した第３の実施の形態について説明する。この第３の実施の形態において、上記第１の実施の形態と同様に構成される部分については、同符号を付して説明を省略する。
本第３の実施の形態は、取付部３１３の形状が上記第１の実施の形態の取付部１３と異なる。
【００４５】
図５は、第３の実施の形態のアーム３１１の取付状態を示す模式図である。図５では、アーム３１１を覆うカバー２０の図示は省略されている。
アーム３１１は、中空のフレキシブルアームであり、両端にエキサイター１２ａ，１２ｂ（図２参照）が設けられる。
アーム３１１は、ヘッドレストステー６の外周を囲むようにしてヘッドレストステー６に取り付けられる取付部３１３を備える。
【００４６】
取付部３１３は、一方のヘッドレストステー６ａに取り付けられる一側取付部３１３ａと、他方のヘッドレストステー６ｂに取り付けられる他側取付部３１３ｂとを備える。
また、アーム３１１は、一方のヘッドレストステー６ａと他方のヘッドレストステー６ｂとの間を跨いで一側取付部３１３ａと他側取付部３１３ｂとを左右に連結する連結部３１４と、一側取付部３１３ａから前方に延出して一方のエキサイター１２ａを支持する支持アーム部３１５ａと、他側取付部３１３ｂから前方に延出して他方のエキサイター１２ｂを支持する支持アーム部３１５ｂとを備える。
【００４７】
一側取付部３１３ａは、一方のヘッドレストステー６ａの外周をＵ字状に囲むように形成される。
詳細には、一側取付部３１３ａは、一方のヘッドレストステー６ａの左右の外側面に当接する外側屈曲部３１６ａと、外側屈曲部３１６ａの前端から一方のヘッドレストステー６ａの前面側を通って左右の内側に延びる前部３１６ｂと、外側屈曲部３１６ａの後端から一方のヘッドレストステー６ａの後面側を通って左右の内側に延びる後部３１６ｃとを備える。外側屈曲部３１６ａは、一側取付部３１３ａのＵ字の底部を構成するように円弧状に湾曲する。
一側取付部３１３ａは、Ｕ字状の部分の開放部３１６ｄを、ヘッドレストステー６の左右の外側から内側に嵌め込むようにして取り付けられる。
【００４８】
他側取付部３１３ｂは、他方のヘッドレストステー６ｂの外周をＵ字状に囲むように形成される。
詳細には、他側取付部３１３ｂは、他方のヘッドレストステー６ｂの左右の外側面に当接する外側屈曲部３１７ａと、外側屈曲部３１７ａの前端から他方のヘッドレストステー６ｂの前面側を通って左右の内側に延びる前部３１７ｂと、外側屈曲部３１７ａの後端から他方のヘッドレストステー６ｂの後面側を通って左右の内側に延びる後部３１７ｃとを備える。外側屈曲部３１７ａは、他側取付部３１３ｂのＵ字の底部を構成するように円弧状に湾曲する。
他側取付部３１３ｂは、Ｕ字状の部分の開放部３１７ｄを、ヘッドレストステー６の左右の外側から内側に嵌め込むようにして取り付けられる。
【００４９】
アーム３１１の連結部３１４は、一側取付部３１３ａの後部３１６ｃの内端と他側取付部３１３ｂの後部３１７ｃの内端とを左右に繋ぐ。
支持アーム部３１５ａは、一側取付部３１３ａの前部３１６ｂから前方且つ左右方向の外側に引き出される。
支持アーム部３１５ｂは、他側取付部３１３ｂの前部３１７ｂから前方且つ左右方向の外側に引き出される。
アーム３１１は、一側取付部３１３ａ及び他側取付部３１３ｂを介し、一方のヘッドレストステー６ａ及び他方のヘッドレストステー６ｂの中心軸６ｃを中心に回動可能に取り付けられる。
【００５０】
なお、上記第１〜第３の実施の形態は本発明を適用した一態様を示すものであって、本発明は上記第１〜第３の実施の形態に限定されるものではない。
第１の実施の形態では、一側取付部１３ａ、他側取付部１３ｂ、連結部１４、及び、支持アーム部１５ａ，１５ｂは、１本のフレキシブルアーム上に設けられ、フレキシブルアームを曲げることにより形成されるものとして説明したが、本発明はこれに限定されない。例えば、一側取付部１３ａ及び他側取付部１３ｂをフレキシブルアームとは異なる部材（例えばゴム製のＵ字状部材）で構成し、この一側取付部１３ａ及び他側取付部１３ｂから、フレキシブルアームで構成される支持アーム部１５ａ，１５ｂを延ばしても良い。この場合、連結部１４は、一側取付部１３ａ及び他側取付部１３ｂと一体に設けられても良く、或いは、一側取付部１３ａ及び他側取付部１３ｂに取り付けられるフレキシブルアームで構成されても良い。
【符号の説明】
【００５１】
１  シート
３  シートバック（背もたれ部）
４  ヘッドレスト
６  ヘッドレストステー
６ａ  一方のヘッドレストステー
６ｂ  他方のヘッドレストステー
６ｃ  中心軸
１１，２１１，３１１  アーム
１２ａ，１２ｂ  エキサイター（振動発生部材）
１３，２１３，３１３  取付部
１３ａ，２１３ａ，３１３ａ  一側取付部
１３ｂ，２１３ｂ，３１３ｂ  他側取付部
１４，２１４，３１４  連結部
１６ｄ，１７ｄ  開放部
Ｖ  振動の軸線
【図１】
2020005781.tif 000003
【図２】
2020005781.tif 000004
【図３】
2020005781.tif 000005
【図４】
2020005781.tif 000006
【図５】
2020005781.tif 000007